(57)【要約】本発明は、デジタルアイテムの使用環境を考慮した適応的使用環境記述子の生成方法に関するものである。本発明のデジタルアイテムの適応的使用環境記述子の生成方法は、マルチメディアコンテンツの使用環境とユーザ選好度に基づくマルチメディアコンテンツの記述において、デジタルアイテムの使用環境記述子のそれぞれに優先順位を記述したり、デジタルアイテムの記述子に対して代替選択に関する選好度を記述したり、デジタルアイテムの使用環境記述子のそれぞれに優先順位を記述すると共に、前記デジタルアイテムを適応的に変形して記述するための適応条件の記述において代替選択に関する選好度を記述する。
2005524893.tif 000002
【特許請求の範囲】
【請求項１】
マルチメディアコンテンツの使用環境記述子（Ｕｓａｇｅ Ｅｎｖｉｒｏｎｍｅｎｔ Ｄｅｓｃｒｉｐｔｏｒ）とユーザ選好度記述子（Ｕｓｅｒ Ｐｒｅｆｅｒｅｎｃｅ Ｄｅｓｃｒｉｐｔｏｒ）に基づくマルチメディアコンテンツの記述において、デジタルアイテムの使用環境記述子のそれぞれに優先順位を定義することを特徴とする、デジタルアイテムの適応的使用環境記述子の生成方法。
【請求項２】
前記優先順位記述子が、優先順位を記述するターゲット環境記述子、前記ターゲット環境記述子に対する既充足条件及び優先順位種類で定義されることを特徴とする、請求項１に記載のデジタルアイテムの適応的使用環境記述子の生成方法。
【請求項３】
前記優先順位記述子が、優先順位を記述するターゲット環境記述子、前記ターゲット環境記述子に対する既充足条件、優先順位種類で定義され、その優先順位種類が、既指定方法を用いた優先順位か順位挿入方法を用いた優先順位の何れか又は双方を用いた優先順位により定義されることを特徴とする、請求項１に記載のデジタルアイテムの適応的使用環境記述子の生成方法。
【請求項４】
前記優先順位記述子が、優先順位を記述するターゲット環境記述子、前記ターゲット環境記述子に対する既充足条件、優先順位種類で定義され、その優先順位種類が、順位挿入方法を用いた優先順位により定義され、その順位挿入方法を用いた優先順位指定はターゲット環境記述子によって優先順位を定めるターゲット選好度名指定方法か、絶対優先順位を指定するランク名指定方法の何れか又は双方を用いた方法により定義されることを特徴とする、請求項１に記載のデジタルアイテムの適応的使用環境記述子の生成方法。
【請求項５】
前記優先順位記述子が、優先順位を記述するターゲット環境記述子、前記ターゲット環境記述子に対する既充足条件、優先順位種類で定義され、その優先順位種類が、順位挿入方法を用いた優先順位により定義され、その順位挿入方法を用いた優先順位指定が、絶対優先順位を指定するランク名指定方法により定義され、そのランク名による順位挿入方法は、絶対優先順位を指定する記述子を含むことを特徴とする、請求項１に記載のデジタルアイテムの適応的使用環境記述子の生成方法。
【請求項６】
前記優先順位記述子が、優先順位を記述するターゲット環境記述子、前記ターゲット環境記述子に対する既充足条件、優先順位種類で定義され、その優先順位種類は、既指定方法を用いた優先順位により定義され、前記既指定方法を用いた優先順位は、（ａ）既存の優先順位と考慮中の環境記述子を皆捨てて、新しく提示された環境記述子のみを考慮する方法で優先順位を変更するプリエンプティブ（Ｐｒｅｅｍｐｔｉｖｅ）、（ｂ）ターゲット環境記述子を考慮中の環境記述子の中で最低の順位に変更指定するアペンド（Ａｐｐｅｎｄ）、（ｃ）ターゲット環境記述子を考慮しないように指定する方法で順位を変更指定するデリート（Ｄｅｌｅｔｅ）の中の少なくとも一つで定義されることを特徴とする、請求項１に記載のデジタルアイテムの適応的使用環境記述子の生成方法。
【請求項７】
マルチメディアコンテンツの使用環境とユーザ選好度に基づくマルチメディアコンテンツの記述において、デジタルアイテムの記述子に対して代替選択に関する選好度を定義することを特徴とする、デジタルアイテムの適応的使用環境記述子の生成方法。
【請求項８】
前記代替選好度記述子が、ターゲット環境記述子、前記ターゲット環境記述子に対する既充足条件、代替選択方法種類により定義されることを特徴とする、請求項７に記載のデジタルアイテムの適応的使用環境記述子の生成方法。
【請求項９】
前記代替選好度記述子が、ターゲット環境記述子、前記ターゲット環境記述子に対する既充足条件、代替選択方法種類により定義され、その代替選択方法種類が、（ａ）正確に同一の場合にＥｘａｃｔｌｙSａｍｅで、（ｂ）最も近い値を持つ代替選択の場合にＮｅａｒｅｓｔで、（ｃ）指定値より低い値の中で最も近い値を選択する場合にＬｏｗｅｒＮｅａｒｅｓｔで、（ｄ）指定値より高い値の中で最も近い値を選択する場合にＵｐｐｅｒＮｅａｒｅｓｔで、（ｅ）指定値より低い値を選択する場合にＬｏｗｅｒＴｈａｎで、（ｆ）指定値より高い値を選択する場合にＵｐｐｅｒＴｈａｎでの少なくとも一つ以上の記述によって定義されることを特徴とする、請求項７に記載のデジタルアイテムの適応的使用環境記述子の生成方法。
【請求項１０】
マルチメディアコンテンツの使用環境とユーザ選好度に基づくマルチメディアコンテンツの記述において、デジタルアイテムの使用環境記述子のそれぞれに優先順位を定義し、前記デジタルアイテムを適応的に変形して記述するための適応条件の記述において、代替選択に関する選好度を定義することを特徴とする、デジタルアイテムの適応的使用環境記述子の生成方法。
【請求項１１】
前記優先順位記述子が、優先順位を記述するターゲット環境記述子、前記ターゲット環境記述子に対する既充足条件及び優先順位種類で定義され、前記代替選好度記述子が、ターゲット環境記述子、前記ターゲット環境記述子に対する既充足条件、代替選択方法種類で定義されることを特徴とする、請求項１０に記載のデジタルアイテムの適応的使用環境記述子の生成方法。
【請求項１２】
前記優先順位記述子が、優先順位を記述するターゲット環境記述子、前記ターゲット環境記述子に対する既充足条件及び優先順位種類で定義され、前記優先順位種類が、既指定方法を用いた優先順位か順位挿入方法を用いた優先順位のいずれかまたは双方をを用いた優先順位により定義されることを特徴とする、請求項１０に記載のデジタルアイテムの適応的使用環境記述子の生成方法。
【請求項１３】
前記優先順位記述子が、優先順位を記述するターゲット環境記述子、前記ターゲット環境記述子に対する既充足条件、優先順位種類で定義され、その優先順位種類が順位挿入方法を用いた優先順位により定義され、前記順位挿入方法を用いた優先順位指定が、ターゲット環境記述子により優先順位を定めるターゲット選好度名指定方法か絶対優先順位を指定するランク名指定方法のいずれかまたは双方を用いた方法により定義されることを特徴とする、請求項１０に記載のデジタルアイテムの適応的使用環境記述子の生成方法。
【請求項１４】
前記優先順位記述子が、優先順位を記述するターゲット環境記述子、前記ターゲット環境記述子に対する既充足条件、優先順位種類で定義され、その優先順位種類が順位挿入方法を用いた優先順位により定義され、前記順位挿入方法を用いた優先順位指定が絶対優先順位を指定するランク名指定方法により定義され、前記ランク名による順位挿入方法が絶対優先順位を指定する記述を含むことを特徴とする、請求項１０に記載のデジタルアイテムの適応的使用環境記述子の生成方法。
【請求項１５】
前記優先順位記述子が、優先順位を記述するターゲット環境記述子、前記ターゲット環境記述子に対する既充足条件、優先順位種類で定義され、その優先順位種類が既指定方法を用いた優先順位により定義され、前記既指定方法を用いた優先順位が、（ａ）既存の優先順位と考慮中の環境記述子を皆捨てて、新しく提示された環境記述子のみを考慮する方法で優先順位を変更するプリエンプティブ（Ｐｒｅｅｍｐｔｉｖｅ）、（ｂ）ターゲット環境記述子を考慮中の環境記述子の中で最低の順位に変更指定するアペンド（Ａｐｐｅｎｄ）、（ｃ）ターゲット環境記述子を考慮しないように指定する方法で順位を変更指定するデリート（Ｄｅｌｅｔｅ）の少なくとも一つで定義されることを特徴とする、請求項１０に記載のデジタルアイテムの適応的使用環境記述子の生成方法。
【請求項１６】
前記代替選好度記述子が、ターゲット環境記述子、前記ターゲット環境記述子に対する既充足条件、代替選択方法種類により定義され、前記代替選択方法種類が、（ａ）正確に同一の場合にＥｘａｃｔｌｙSａｍｅ）、（ｂ）最も近い値を持つ代替選択の場合にＮｅａｒｅｓｔで、（ｃ）指定値より低い値の中で最も近い値を選択する場合にＬｏｗｅｒＮｅａｒｅｓｔで、（ｄ）指定値より高い値の中で最も近い値を選択する場合にＵｐｐｅｒＮｅａｒｅｓｔで、（ｅ）指定値より低い値を選択する場合にＬｏｗｅｒＴｈａｎで、（ｆ）指定値より高い値を選択する場合にＵｐｐｅｒＴｈａｎでの少なくとも一つ以上の記述によって定義されることを特徴とする、請求項１０に記載のデジタルアイテムの適応的使用環境記述子の生成方法。
【発明の詳細な説明】
【技術分野】
【０００１】
本発明は、記述的アイテムの適用に関するもので、より詳しくは、デジタルアイテムの適応的使用環境記述子（adaptive usage environment descriptor）を生成する方法に関する。
【背景技術】
【０００２】
マルチメディアデータの生成、創作、取引、伝達、管理、保存、消費などの電子商取引に係わる活動において、マルチメディアデータの取り扱い単位に対して、融通性、一貫性、互換性のある規約の必要性が提起されている。
【０００３】
特に、インターネットの発達に伴う電子商取引の増加により、電子商取引のためのマルチメディアデータの取り扱い単位に対する定義モデルの不在は、電子商取引における混乱を引き起こす潜在的な要因になる。
【０００４】
このような点に鑑み、電子商取引ビジネスモデルの全てのユーザ（デジタルアイテムの生産者、供給者、分配者、消費者、知的財産権行使者、産業財産権行使者、金融サービス業者、商取引の監視者など、電子商取引のビジネスモデルと係わる全ての主体）の役割の関係を最大限考慮して、国際標準化機構であるＩＳＯ/ＩＥＣ ＳＣ２９/ＷＧ１１内でのＭＰＥＧ-２１でデジタルアイテムの定義を規定し、デジタルアイテムが電子商取引上における主体やその主体と係わる要素記述との連関性に基づき、融通性、一貫性、互換性を持つ国際標準にするための努力を傾けている。  
【０００５】
したがって、電子商取引のビジネスモデル構成の主体（又はユーザ）やそれと係わる要素記述との連関性を考慮して、互に異なるネットワークやターミナルとは無関係に電子商取引が成り立つようにするデジタルアイテムの定義モデルが要求されている。
【０００６】
こうしたデジタルアイテムの定義モデルは、電子商取引に必要なマルチメディアデータの生成、創作、取引、伝達、管理、保存、消費などの電子商取引の活動時のマルチメディアデータに対する最小単位として、互換性、一貫性、融通性を備えていなければならない。
【０００７】
一般に、有線・無線環境の下における知的財産の価値があるマルチメディアコンテンツの生成、創作、取引、伝達、管理、保存、利用などの取り扱い活動の単位であるデジタルアイテムは、大きく３つの要素で構成される。すなわち、コンテンツ自体の内容に該当するリソース（ＲＥＳＯＵＲＣＥ）（例えば、映像や音声などの映画や音楽それ自体）と、そのコンテンツの内容と利用に関して記述する情報（ＤＥＳＣＲＩＰＴＯＲ）（例えば、映画や音楽の題目、ジャンル、作家名、内容要約書、コンテンツ利用条件、規則等）と、デジタルアイテムを構成するための構成要素（チョイス（ＣＨＯＩＣＥ）、選択項目（ＳＥＬＥＣＴＩＯＮ）、条件（ＣＯＮＤＩＴＩＯＮ））で構成される。
【０００８】
デジタルアイテムは、リソースの他にもメタデータを含むが、メタデータには、リソースを記述する情報（ＤＥＳＣＲＩＰＴＯＲ）、ユーザが選択できる選択項目（ＳＥＬＥＣＴＩＯＮ）、このような選択項目のチョイス（ＣＨＯＩＣＥ）などがあり、それぞれの選択項目とチョイスは特定条件で有効であることを表示するための条件（ＣＯＮＤＩＴＩＯＮ）を含む。また、デジタルアイテムは、多くのコンポーネント（ＣＯＭＰＯＮＥＮＴＳ）（実際のリソース（音楽ファイル、絵ファイル）と記述情報（ＤＥＳＣＲＩＰＴＯＲ）を持つ）を含むが、そのうちでユーザの望むコンポーネントを選択してユーザ向きのデジタルアイテムを構成できるようにするために、デジタルアイテムとコンポーネントはユーザが設定した特定条件で有効であることを表示するための条件（ＣＯＮＤＩＴＩＯＮ）を含む。特に、条件（ＣＯＮＤＩＴＩＯＮ）は、選択項目（ＳＥＬＥＣＴＩＯＮ）を参照して、参照リストにユーザが選択した選択項目（ＳＥＬＥＣＴＩＯＮ）があればこの条件は「真」であり、なければ「偽」である。
【０００９】
前記のように、チョイス（ＣＨＯＩＣＥ）は種々の選択項目（ＳＥＬＥＣＴＩＯＮ）の代表的な選択名であり、条件（ＣＯＮＤＩＴＩＯＮ）はチョイスとこれと関連した選択項目を特定条件で有効であることを表示するための条件内容を含む。
【００１０】
デジタルアイテムは、既に生成された多くのデジタルアイテムを再構成して、新しいデジタルアイテム（複合的デジタルアイテム）を生成することができる。
【００１１】
例えば、アルバムという上位デジタルアイテムを生成するように、イメージデジタルアイテムを構成させることができる。この場合、それぞれのイメージデジタルアイテムは独立的な保存単位として存在する外部保存デジタルアイテムである。イメージデジタルアイテムを含むため、新しく生成されたアルバムデジタルアイテムは、それらにアクセスできるレファレンス（ＲＥＦＥＲＥＮＣＥ）を含む。
【００１２】
また、前記条件（ＣＯＮＤＩＴＩＯＮ）を用いたユーザの望むデジタルアイテムの構成時、条件（ＣＯＮＤＩＴＩＯＮ）の効率的な表現方法は比較演算の効率と条件の表現力を決定する重要な要素になり、条件比較対象の特性を考慮した効率的な条件（ＣＯＮＤＩＴＩＯＮ）表現方法が要求される。
【００１３】
図１はデジタルアイテムの定義モデルの構造を示す。 
図１に示すように、デジタルアイテムは、宣言（ＤＥＣＬＡＲＡＴＩＯＮ）、コンテナ（ＣＯＮＴＡＩＮＥＲ）、アイテム（ＩＴＥＭ）などでデジタルアイテム定義言語（ＤＩＤＬ: Digital Item Declaration Language）として記述されている。
【００１４】
コンポーネント（ＣＯＭＰＯＮＥＮＴ）は、オーディオ、ビデオ、グラフィック、テキストなどのリソース（ＲＥＳＯＵＲＣＥ）、そのリソースを表すアンカー（ＡＮＣＨＯＲ）、コンポーネントを記述する情報（ＤＥＳＣＲＩＰＴＯＲ）を含む。前記コンポーネントやアイテムを含む上位階層としてアイテム（ＩＴＥＭ）を持つ。アイテムやコンテナを含む上位階層としてコンテナ（ＣＯＮＴＡＩＮＥＲ）を持つ。  
【００１５】
図１では、デジタルアイテムが他のデジタルアイテムを含むことができ、外部保存デジタルアイテムにアクセスできるレファレンス（ＲＥＦＥＲＥＮＣＥ）要素がデジタルアイテムにおいて定義されている。
【００１６】
そして、そのデジタルアイテムは、チョイス（ＣＨＯＩＣＥ）と選択項目（ＳＥＬＥＣＴＩＯＮ）によりユーザの望む構成を選択できるメカニズムを示す。また、条件（ＣＯＮＤＩＴＩＯＮ）を用いてユーザの望むデジタルアイテムを構成できることを示す。このとき、条件（ＣＯＮＤＩＴＩＯＮ）の効率的な表現方法は比較演算の効率と条件の表現力を決定する重要な要素になり、したがって、条件比較対象の特性を考慮した効率的な条件（ＣＯＮＤＩＴＩＯＮ）表現方法が要求される。
【発明の開示】
【発明が解決しようとする課題】
【００１７】
前述したように、種々のマルチメディアコンテンツを、様々な使用環境により、そのマルチメディアを最適な状態で経験できるようにする記述が必要となる。すなわち、ユーザのターミナルの能力、ネットワークの能力、転送階層の能力、ユーザの選好度や性別等のようなユーザの特性、自然環境特性、提供されるサービスの能力などにより、ユーザにそのマルチメディアを最適な形態で経験できるようにする記述が必要となり、このような記述のために、デジタルアイテム適応（Ｄｉｇｉｔａｌ Ｉｔｅｍ Ａｄａｐｔａｔｉｏｎ；ＤＩＡ）記述は、基本的にユーザの環境に関する情報を提供するための記述子が提供されるべきである。
【００１８】
これにより、マルチメディアコンテンツが多様化しつつあり、これを利用するユーザの環境も多様化しつつあるので、様々なユーザ環境記述子（Ｕｓａｇｅ Ｅｎｖｉｒｏｎｍｅｎｔ Ｄｅｓｃｒｉｐｔｏｒ）が記述・再生されるべきである。よって、デジタルアイテム適応記述において、様々な大量の環境記述子のうちでどの環境記述子を考慮の優先順位とするかに関する記述子の生成方法が要求され、また、このような優先順位により決定された環境記述子に対して次善策が必要な場合、次善策、即ち、代替選択に関する選好度を記述する方法（「ＡｌｔｅｒｎａｔｉｖｅＰｒｅｆｅｒｅｎｃｅ」ｄｅｓｃｒｉｐｔｏｒ）が要求される。後者の場合、デジタルアイテム適応記述において、前記記述子の考慮の優先順位により選ばれた環境記述子に対して、これに相応する環境記述子の値に対する代替選択基準に関する記述子を定義することで、要求されたコンテンツに対する次選のコンテンツを提供する方法が要求される。
【００１９】
従って、本発明の目的は、デジタルアイテムの使用環境記述子間の優先順位を記述することにより、種々の環境下における様々な要求を持つユーザに、最善のマルチメディア使用のための基盤を提供することにある。
【００２０】
本発明の他の目的は、デジタルアイテムの使用環境記述子間の優先順位によって決定された環境記述子に対して、次善策が必要な場合、その次善策の代替選択に関して記述することにより、種々の環境下における様々な要求を持つユーザに、最善のマルチメディア使用のための基盤を提供することにある。
【課題を解決するための手段】
【００２１】
本発明のデジタルアイテムの適応的使用環境記述子の生成方法は、マルチメディアコンテンツの使用環境とユーザの選好度に基づくマルチメディアコンテンツの記述において、デジタルアイテムの使用環境記述子のそれぞれに優先順位を記述することを特徴とする。
【００２２】
また、本発明のデジタルアイテムの適応的使用環境記述子の生成方法は、マルチメディアコンテンツの使用環境とユーザの選好度に基づくマルチメディアコンテンツの記述において、デジタルアイテムの記述子に対して代替選択に関する選好度を記述することを特徴とする。
【００２３】
さらに、本発明のデジタルアイテムの適応的使用環境記述子の生成方法は、マルチメディアコンテンツの使用環境とユーザの選好度に基づくマルチメディアコンテンツの記述において、デジタルアイテムの使用環境記述子のそれぞれに優先順位を記述し、前記デジタルアイテムを適応的に変形して記述するための適応条件の記述において、代替選択に関する選好度を記述することをを特徴とする。
【発明の効果】
【００２４】
本発明は、ユーザの環境と選好度によってマルチメディアコンテンツを適応的に記述する際、ユーザの環境に関する記述子（ｕｓａｇｅ ｅｎｖｉｒｏｎｍｅｎｔ ｄｅｓｃｒｉｐｔｉｏｒ）を優先順位選好度記述子（「ＰｒｅｃｅｄｅｎｃｅＰｒｅｆｅｒｅｎｃｅ「ｄｅｓｃｒｉｐｔｏｒ）と代替選択選好度記述子（「ＡｌｔｅｒｎａｔｉｖｅＰｒｅｆｅｒｅｎｃｅ「ｄｅｓｃｒｉｐｔｏｒ）を用いて適応的に変形して記述できる。そのため、マルチメディアコンテンツ、即ち、デジタルアイテムの使用において、種々の環境下におけるユーザだけでなく、動的に使用環境が変わる場合にも、適切な適応的変形記述が可能となり、ユーザが満足すべき水準のマルチメディアコンテンツを提供できる。
【発明を実施するための最良の形態】
【００２５】
図２は、本発明の適応的デジタルアイテムの生成方法を説明するための図であり、デジタルアイテムの適応的な生成が、互いに影響を及ぼす２段階又は互いに独立した２段階の作業によってなされることを示す。
【００２６】
ＤＩＤ.ｘｍｌ（２０１）は、デジタルアイテムの宣言（Ｄｉｇｉｔａｌ Ｉｔｅｍ Ｄｅｃｌａｒａｔｉｏｎ）をｘｍｌ形式で記述したものである。ＤＩＤ.ｘｍｌ（２０１）は適応記述を行う前のデジタルアイテムを示す。このデジタルアイテム（ＤＩＤ.ｘｍｌ）は適応的記述を行うブロック２０４の入力により提供される。ＤＩＡ.ｘｍｌ（２０２）は、デジタルアイテム適応記述をｘｍｌ形式で記述したものであり、ＰＡＰ.ｘｍｌ（２０３）は、優先順位選好度（ＰｒｅｃｅｄｅｎｃｅＰｒｅｆｅｒｅｎｃｅ）記述子と、代替選好度（ＡｌｔｅｒｎａｔｉｖｅＰｒｅｆｅｒｅｎｃｅ）記述子とに関する内容をｘｍｌ形式で記述した（ＰｒｅｃｅｄｅｎｃｅＰｒｅｆｅｒｅｎｃｅ/ ＰｒｅｃｅｄｅｎｃｅＰｒｅｆｅｒｅｎｃｅ）ものである。
【００２７】
デジタルアイテム適応記述ブロック２０４は、前記ＤＩＤ.ｘｍｌ（２０１）、ＤＩＡ.ｘｍｌ（２０２）、ＰＡＰ.ｘｍｌ（２０３）を入力として、ユーザ環境と選好度に最適な変形されたデジタルアイテム（Ｍｏｄｉｆｉｅｄ ＤＩＤ.ｘｍｌ）２０５を生成する。
【００２８】
一方、このような環境記述子や選好度記述子を、既に生成されたデジタルアイテム（ＤＩＤ.ｘｍｌ）を変形するのに使用することもできるが、本発明で提案する優先順位記述子と代替選好度記述子により、まず、適応的記述の形態に変形された後に適用することもできる。
【００２９】
すなわち、ＤＩＡ.ｘｍｌ（２０６）とＰＡＰ.ｘｍｌ（２０７）について、デジタルアイテム適応記述ブロック２０８が、前記のように環境記述子（ＤＩＡ.ｘｍｌ）や選好度記述子（ＰＡＰ.ｘｍｌ）により、まず、適応的記述の形態に変形されたＭｏｄｉｆｉｅｄ ＤＩＡ.ｘｍｌ（２０９）の形態で記述され、このＭｏｄｉｆｉｅｄ ＤＩＡ.ｘｍｌ（２０９）を前記デジタルアイテム適応記述ブロック２０４の入力により、前記のように、ユーザ環境及び選好度に最適な変形されたデジタルアイテム（Ｍｏｄｉｆｉｅｄ ＤＩＤ.ｘｍｌ）を生成する。
【００３０】
したがって、本発明に係るデジタルアイテムの適応的使用環境記述子の生成方法は、互いに影響を及ぼす２段階又は互いに独立した２段階の作業によってなされることできる。
【００３１】
（第１の実施形態）
図３は前記目的を達成するための本発明のデジタルアイテムの適応的使用環境記述子の生成方法の第１の実施形態を示す。図３には、ユーザ環境記述子間の優先順位を記述する例を示す。
【００３２】
図３に示すデジタルアイテムの適応的使用環境記述子の生成方法は、種々の環境に対するユーザの選好度により、ユーザがマルチメディアコンテンツの使用時に十分満足できるようにするために、多様なユーザ環境記述子が適応的にどのように記述されることを示している。特に、種々の環境に対するユーザの選好度により、ユーザがマルチメディアコンテンツの使用時に十分満足できるようにするために、ユーザに提供されるマルチメディアコンテンツ、即ち、デジタルアイテムが適応的にどのように記述されることを示す。
【００３３】
図３に示すように、デジタルアイテムの適応的記述に優先順位記述子３０１を記述する。この優先順位記述子３０１により、使用環境記述子のどれをより高い（又はより低い）優先順位で考慮するかを記述でき、この優先順位記述子３０１を用いて、種々の環境記述子のうちで優先順位が高いものとそうでないものとを区分できるので、ユーザに重要な情報に集中できるようにすると共に、既に記述された環境変数の値をさらに提供されなくても優先順位を変更できる。また、既に記述された環境変数の値をさらに提供されなくても環境記述子間の優先順位を変更できるため、効率よくコンテンツの再生を行うことができる。
【００３４】
前記優先順位記述子３０１は、ターゲット環境記述子３０２、このターゲット環境記述子に対する既充足条件３０３、優先順位種類３０４により定義される。
【００３５】
前記優先順位種類３０４は、優先順位種類タイプ３０４ａによって記述され、優先順位種類タイプ３０４ａは、既指定方法を用いた優先順位３０５と、順位挿入方法３０６を用いた優先順位とによって定義される。
【００３６】
前記既指定方法を用いた優先順位３０５は、既指定方法を用いた優先順位タイプ３０５ａによって記述されるが、プリエンプティブ（Ｐｒｅｅｍｐｔｉｖｅ）３１３、アペンド（Ａｐｐｅｎｄ）３１４、デリート（Ｄｅｌｅｔｅ）３１５によって定義される。
【００３７】
プリエンプティブ３１３は既存の優先順位及び考慮中の環境記述子を皆捨てて、新しく提示されたターゲット選好度（ＴａｒｇｅｔＰｒｅｆｅｒｅｎｃｅ）、即ち、優先順位を新しく提示した環境記述子のみを考慮する方法で優先順位を変更する。アペンド３１４は、ターゲット選好度、即ち、ターゲット環境記述子を考慮中の環境記述子の中で最低の順位に変更する。デリート３１６は、ターゲット選好度、即ち、ターゲット環境記述子を考慮しないように指定する方法で優先順位を変更する。
【００３８】
前記優先順位種類タイプ３０４ａを記述する順位挿入方法３０６は、順位挿入選好度タイプ３０６ａによって定義される。順位挿入選好度タイプ３０６ａは、ターゲット選好度名３０７とランク名３０８によって記述される。ターゲット選好度名３０７は、この名前の前に挿入された使用環境順位をより高く考慮する方法を記述する。例えば、このターゲット選好度名が持つ選好度より高い選好度を指定する方法であり、選好度が高い選好度名を前に挿入することにより優先順位を高める方法であり、このターゲット選好度名により挿入する方法は相対優先順位を指定するものである。
【００３９】
このターゲット選好度名３０７に比べて、ランク名３０８による順位挿入方法は絶対優先順位を指定するものである。絶対優先順位の指定はランク名タイプ３０８ａによって定義され、ランク名タイプ３０８ａは最初３０９、二番目３１０、三番目３１１、…、最後３１２を指定する方法にて記述される。
【００４０】
（第２の実施形態）
図４は前記目的を達成するための本発明のデジタルアイテムの適応的使用環境記述子の生成方法の第２の実施形態を示す。図４には、環境記述子によりデジタルアイテム適応記述を行うための適応条件の記述において、マルチメディアコンテンツやデジタルアイテムが環境記述子による要求事項に適合しない場合、次善策に代えて選択できる方法に対する記述を示す。
【００４１】
図４に示すように、デジタルアイテムの適応的記述に代替選好度記述子４０１を記述する。代替選好度記述子４０１によって、優先順位により決定された環境記述子に対して次善策が必要な場合には次善策を選択できるため、種々の環境下における様々な要求を持つユーザに、最善のマルチメディア使用のための基盤を提供できる。
【００４２】
代替選好度記述子４０１は、ターゲット選好度記述子４０２、このターゲット選好度記述子に対する既充足条件４０３、代替選択方法種類４０４とにより定義される。
【００４３】
代替選択方法種類４０４は、代替選択方法種類タイプ４０４ａにより記述されるが、代替選択方法種類タイプ（ＡｌｔｅｒｎａｔｉｖｅＳｅｌｅｃｔｉｏｎＣｌａｓｓＴｙｐｅ）４０４ａは、正確に同一の場合にＥｘａｃｔｌｙｓａｍｅ４０５で、最も近い値を持つ代替選択の場合にＮｅａｒｅｓｔ４０６で、指定値より低い値の中で最も近い値を選択する場合にＬｏｗｅｒＮｅａｒｅｓｔ４０７で、指定値より高い値の中で最も近い値を選択する場合にＵｐｐｅｒＮｅａｒｅｓｔ４０８で、指定値より低い値を選択する場合にＬｏｗｅｒＴｈａｎ４０９で、指定値より高い値を選択する場合にＵｐｐｅｒＴｈａｎ４１０でそれぞれ定義される。
【００４４】
（第３の実施形態）
図５は前記目的を達成するための本発明のデジタルアイテムの適応的使用環境記述子の生成方法の第３の実施形態を示す。図５に示すデジタルアイテムの適応的使用環境記述子の生成方法は、マルチメディアコンテンツの使用環境記述子と選好度記述子に基づくマルチメディアコンテンツの記述において、デジタルアイテムの使用環境記述子のそれぞれに優先順位を記述し、また、前記記述した優先順位によって決定された環境記述子に対して、代替選択に関する選好度を記述することを特徴としている。  
【００４５】
図５に示すように、デジタルアイテムの適応的記述において、優先順位記述子５０１と代替選好度記述子５０２を記述し、優先順位記述子５０１によって使用環境記述子のそれぞれに対する優先順位が記述され、また、この優先順位による環境記述子に対して、要求事項に適合しない場合の次善策に代替選択できる基盤が共に提供される。
【００４６】
優先順位記述子５０１により、使用環境記述子のどのものをより高い（又はより低い）優先順位で考慮するかを記述でき、この優先順位記述子５０１を用いて種々の環境記述子の中で優先順位が高いものとそうでないものとを区分できるので、ユーザにより重要な情報に集中できるようにすると共に、既に記述された環境変数の値をさらに提供されなくても優先順位を変更できる。また、既に記述された環境変数の値をさらに提供されなくても環境記述子間の優先順位を変更できるため、効率よくコンテンツ再生を行うことができる。また、マルチメディアコンテンツやデジタルアイテムが、環境記述子による要求事項に適合しない場合には、代替選択選好度記述子５０２によって次善策に代替選択が可能となる。
【００４７】
前記優先順位記述子５０１は、ターゲット環境記述子５０３、このターゲット環境記述子に対する既充足条件５０４及び優先順位種類５０５によって定義される。  
【００４８】
前記優先順位種類５０５は、優先順位種類タイプ５０５ａによって記述され、優先順位種類タイプ５０５ａは、既指定方法を用いた優先順位５１５と、順位挿入方法５１６を用いた優先順位とによって定義される。
【００４９】
前記既指定方法を用いた優先順位５１５は、既指定方法を用いた優先順位タイプ５１５ａによって記述されるが、プリエンプティブ５２３、アペンド５２４、デリート５２５によってそれぞれ定義される。
【００５０】
プリエンプティブ５２３は、既存の優先順位及び考慮中の環境記述子を皆捨てて、新しく提示されたターゲット選好度（ＴａｒｇｅｔＰｒｅｆｅｒｅｎｃｅ）、即ち、優先順位を新しく提示した環境記述子のみを考慮する方法にて優先順位を変更する。アペンド５２４は、ターゲット選好度、即ち、ターゲット環境記述子を考慮中の環境記述子の中で最低の順位に変更する。デリート５２５は、ターゲット選好度、即ち、ターゲット環境記述子を考慮しないように指定する方法にて優先順位を変更する。
【００５１】
前記優先順位種類タイプ５０５ａを記述する順位挿入方法５１６は、順位挿入選好度タイプ５１６ａによって定義される。順位挿入選好度タイプ５１６ａは、ターゲット選好度名５１７とランク名５１８によって記述される。ターゲット選好度名５１７はこの名前の前に挿入された使用環境順位をより高く考慮する方法を記述する。例えば、このターゲット選好度名が持つ選好度より高い選好度を指定する方法であり、選好度が高い選好度名を前に挿入することにより優先順位を高める方法であり、このターゲット選好度名により挿入する方法は相対優先順位を指定するものである。
【００５２】
このターゲット選好度名５１７に比べて、ランク名５１８による順位挿入方法は絶対優先順位を指定するものである。絶対優先順位の指定はランク名タイプ５１８ａによって定義され、ランク名タイプ５１８ａは、最初５１９、二番目５２０、三番目５２１、…、最後５２２を指定する方法で記述される。
【００５３】
そして、前記代替選好度記述子５０２は、ターゲット選好度記述子５０６、このターゲット選好度記述子に対する既充足条件５０７、代替選択方法種類５０８によって定義される。
【００５４】
代替選択方法種類５０８は、代替選択方法種類タイプ５０８ａにより記述されるが、代替選択方法種類タイプ５０８ａは、正確に同一の場合にＥｘａｃｔｌｙｓａｍｅ５０９で、最も近い値を持つ代替選択の場合にＮｅａｒｅｓｔ５１０で、指定値より低い値の中で最も近い値を選択する場合にＬｏｗｅｒＮｅａｒｅｓｔ５１１で、指定値より高い値の中で最も近い値を選択する場合にＵｐｐｅｒＮｅａｒｅｓｔ５１２で、指定値より低い値を選択する場合にＬｏｗｅｒＴｈａｎ５１３で、指定値より高い値を選択する場合にＵｐｐｅｒＴｈａｎ５１４でそれぞれ定義される。
【図面の簡単な説明】
【００５５】
【図１】デジタルアイテムの定義モデルの構造を示す図である。
【図２】本発明の適応的デジタルアイテムの生成方法を説明するための図である。
【図３】本発明で優先順位の選好度の記述子を用いたデジタルアイテムの記述子の生成例を示す図である。
【図４】本発明で代替選好度の記述子を用いたデジタルアイテムの記述子の生成例を示す図である。
【図５】本発明で優先順位及び代替選好度の記述子を用いたデジタルアイテムの生成例を示す図である。
【図１】
2005524893.tif 000003
【図２】
2005524893.tif 000004
【図３】
2005524893.tif 000005
【図４】
2005524893.tif 000006
【図５】
2005524893.tif 000007
【国際調査報告】
2005524893.tif 000008